(57)【要約】【課題】排気通路に配置された酸化触媒の上流側端面の上及び上流側端面よりも上流側の排気通路に蓄積した粒子状物質を除去できる内燃機関及び内燃機関の粒子状物質除去方法を提供する。【解決手段】噴霧手段４０により、酸化触媒２５の上流側に配置された上流小径管３２の内部に液体酸化触媒４１を噴射して、酸化触媒２５の上流側端面３１の上及び上流側端面３１よりも上流側に配置された拡径管３３に蓄積した粒子状物質に供給し、供給された液体酸化触媒４１の触媒作用により、蓄積した粒子状物質を酸化除去する構成にした。【選択図】図１
2016094845.tif 000002
【特許請求の範囲】
【請求項１】
排気ガスが通過する排気通路に、酸化触媒及び排気ガスに含有される粒子状物質を捕集する捕集装置を上流側から順に配置した内燃機関において、
前記酸化触媒の上流側に噴霧手段を配設又は仮設し、
前記噴霧手段から液体酸化触媒を、前記酸化触媒の上流側の前記排気通路の内部に噴霧して、前記酸化触媒の上流側端面の上及び該上流側端面よりも上流側の前記排気通路に蓄積した粒子状物質に供給し、
供給された前記液体酸化触媒の触媒作用により、蓄積した粒子状物質を酸化除去する構成にしたことを特徴とする内燃機関。
【請求項２】
前記酸化触媒の上流側の前記排気通路の排気圧力を取得する圧力取得手段を備え、該排気圧力が予め設定される蓄積圧力以上になった場合に、前記上流側端面の上及び該上流側端面よりも上流側の前記排気通路に粒子状物質が蓄積したと判定して、前記噴霧手段から前記液体酸化触媒を噴霧する構成にした請求項１に記載の内燃機関。
【請求項３】
前記蓄積圧力を、前記排気通路に排出される排気ガスの流量に基づいた前記蓄積圧力が設定された蓄積圧力マップを参照して設定する構成にした請求項２に記載の内燃機関。
【請求項４】
前記噴霧手段として、前記酸化触媒の上流側に配設した噴霧弁を用いると共に、前記液体酸化触媒を貯蔵する貯蔵タンクと、該噴霧弁と該貯蔵タンクとを接続する接続路と、該接続路に介設された移送ポンプとを備えた請求項１〜３のいずれか１項に記載の内燃機関。
【請求項５】
前記酸化触媒の上流側の前記排気通路に噴霧口を備え、前記噴霧手段として該噴霧口に挿抜自在に仮設した噴霧ノズルを用いる構成にした請求項１〜３のいずれか１項に記載の内燃機関。
【請求項６】
酸化触媒及び排気ガスに含有される粒子状物質を捕集する捕集装置を上流側から順に配置した排気通路の該酸化触媒の上流側端面の上及び該上流側端面よりも上流側に蓄積した粒子状物質を除去する方法であって、
前記酸化触媒の上流側の前記排気通路の内部に液体酸化触媒を噴霧して、該液体酸化触媒を前記上流側端面の上及び前記上流側端面よりも上流側の前記排気通路に蓄積した粒子状物質に供給し、
前記液体酸化触媒の触媒作用を利用して、前記排気通路を通過する排気ガスの温度が予め定められた燃焼除去温度以上になったときに、蓄積した粒子状物質を酸化除去することを特徴とする内燃機関の粒子状物質除去方法。
【発明の詳細な説明】
【技術分野】
【０００１】
本発明は、内燃機関及び内燃機関の粒子状物質除去方法に関し、より詳細には、排気通路に配置された酸化触媒の上流側端面の上及び上流側端面よりも上流側の排気通路に蓄積した粒子状物質を除去できる内燃機関及び内燃機関の粒子状物質除去方法に関する。
【背景技術】
【０００２】
ディーゼルエンジンにおいては、筒内から排出された排気ガス中の粒子状物質を捕集して、燃焼除去するために、排気通路に酸化触媒及び排気ガス中の粒子状物質を捕集する捕集装置を配置している。
【０００３】
このようなエンジンが長時間の低負荷運転で、排気通路の温度が低温状態で長時間維持される場合には、酸化触媒の上流側端面よりも上流側に、特に、酸化触媒の上流側端面の上と、上流小径管から拡径管になって排気ガスの流速が低下する拡径管の内壁とに、粒子状物質が蓄積していた。また、捕集装置に堆積した粒子状物質を強制的に燃焼除去するための未燃燃料を排気通路に供給して酸化触媒で排気ガスの温度を昇温する際に、未燃燃料が均一に噴霧されない場合や排気通路の温度が低い場合には、その未燃燃料が酸化触媒の上流側端面よりも上流側に付着し、その後の運転で蒸し焼き状態となることで粒子状物質に成長して蓄積していた。
【０００４】
これに関して、酸化触媒の上流側の排気ガスの温度を上昇させて酸化触媒に堆積した堆積物を除去する装置が提案されている（例えば、特許文献１参照）。
【０００５】
しかし、酸化触媒の上流側端面よりも上流側の配管には触媒が存在していないため、そのような場所に大量の粒子状物質が蓄積してしまうと、強制的に燃焼除去することができない。
【０００６】
そのため、大量に粒子状物質が蓄積した状態になると、排気通路を分解開放して機械的に蓄積した粒子状物質を清掃除去する必要があった。しかし、この清掃除去作業では、粒子状物質が蓄積している排気通路を分解解放するために、粒子状物質が飛散する虞がある。
【先行技術文献】
【特許文献】
【０００７】
【特許文献１】特開２００４−２５７２６７号公報
【発明の概要】
【発明が解決しようとする課題】
【０００８】
本発明は、上記の問題を鑑みてなされたものであり、その課題は、排気通路に配置された酸化触媒の上流側端面の上及び上流側端面よりも上流側の排気通路に蓄積した粒子状物質を除去できる内燃機関及び内燃機関の粒子状物質除去方法を提供することである。
【課題を解決するための手段】
【０００９】
上記の課題を解決するための本発明の内燃機関は、排気ガスが通過する排気通路に、酸化触媒及び排気ガスに含有される粒子状物質を捕集する捕集装置を上流側から順に配置した内燃機関において、前記酸化触媒の上流側に噴霧手段を配設又は仮設し、前記噴霧手段から液体酸化触媒を、前記酸化触媒の上流側の前記排気通路の内部に噴霧して、前記酸化触媒の上流側端面の上及び該上流側端面よりも上流側の前記排気通路に蓄積した粒子状物
質に供給し、供給された前記液体酸化触媒の触媒作用により、蓄積した粒子状物質を酸化除去する構成にしたことを特徴とするものである。
【００１０】
また、上記の課題を解決するための本発明の内燃機関の粒子状物質除去方法は、酸化触媒及び排気ガスに含有される粒子状物質を捕集する捕集装置を上流側から順に配置した排気通路の該酸化触媒の上流側端面の上及び該上流側端面よりも上流側に蓄積した粒子状物質を除去する方法であって、前記酸化触媒の上流側の前記排気通路の内部に液体酸化触媒を噴霧して、該液体酸化触媒を前記上流側端面の上及び前記上流側端面よりも上流側の前記排気通路に蓄積した粒子状物質に供給し、前記液体酸化触媒の触媒作用を利用して、前記排気通路を通過する排気ガスの温度が予め定められた燃焼除去温度以上になったときに、蓄積した粒子状物質を酸化除去することを特徴とする方法である。
【００１１】
なお、ここでいう液体酸化触媒とは、液体に酸化物系触媒を含有させたもののことをいう。この液体酸化触媒としては、例えば、希土類金属酸化物の酸化セリウムを液体に含有させたものを例示できる。
【発明の効果】
【００１２】
本発明の内燃機関及び内燃機関の粒子状物質除去方法によれば、酸化触媒の上流側の排気通路の内部に液体酸化触媒を噴霧して、その液体酸化触媒を酸化物触媒の上流側端面の上及び上流側端面よりも上流側の排気通路に蓄積した粒子状物質に供給し、その液体酸化触媒の触媒作用によって蓄積した粒子状物質を酸化除去できる。
【００１３】
これにより、排気通路を分解開放して蓄積した粒子状物質を清掃除去する必要がなくなるので、清掃除去の際に粒子状物質を飛散させることを防止できる。また、蓄積した粒子状物質による排圧上昇を起因とした燃費の悪化を防止するこができる。更に、液体酸化触媒の酸化作用により通常の排気ガスの温度で粒子状物質を燃焼除去できるので、酸化触媒や捕集装置の熱による劣化を抑制することができる。
【図面の簡単な説明】
【００１４】
【図１】本発明の内燃機関の第一実施形態を例示する説明図である。
【図２】本発明の内燃機関の第二実施形態を例示する説明図である。
【図３】図１及び図２の制御装置に記憶された、排気ガスの流量に基づいた蓄積圧力が設定された蓄積圧力マップである。
【図４】図１及び図２の制御装置の行う判定を例示するフローチャートである。
【発明を実施するための形態】
【００１５】
以下、本発明の内燃機関及び内燃機関の粒子状物質除去方法の実施形態について説明する。図１は、本発明の第一実施形態のディーゼルエンジン（以下、エンジン）１０Ａの構成を示す。また、図２は、本発明の第二実施形態のエンジン１０Ｂの構成を示す。
【００１６】
このエンジン１０Ａ及び１０Ｂにおいては、車両の走行時などに、吸気バルブ１１からピストン１２が往復する筒内１３に吸入された吸入空気と、燃料噴射弁１４から筒内１３に噴射された燃料とが混合されて燃焼して、排気ガスとなって排気バルブ１５から排気されている。
【００１７】
吸入空気は、外部から吸気通路１６へ吸入されて、ターボチャージャ１７のコンプレッサ１８により圧縮されて高温になり、インタークーラー１９で冷却されている。その後に、吸気スロットル２０により流量が調節されて、インテークマニホールド２１を経て吸気バルブ１１から筒内１３に吸入されている。
【００１８】
排気ガスは、筒内１３から排気バルブ１５を経由してエキゾーストマニホールド２２から排気通路２３へ排気されて、ターボチャージャ１７のタービン２４を駆動させている。その後に、上流側から順に配置された酸化触媒２５及び捕集装置２６で浄化されて大気へと放出されている。なお、捕集装置２６の下流に、尿素水噴射弁とＳＣＲ触媒を順に配置して、排気ガス中の窒素酸化物を、ＳＣＲ触媒でアンモニアを還元剤とした各ＳＣＲ反応によって還元してもよい。
【００１９】
また、排気ガスの一部はＥＧＲガスとして、排気通路２３から分岐して吸気通路１６に接続されたＥＧＲ通路２７に設けられたＥＧＲクーラー２８で冷却された後に、ＥＧＲバルブ２９により吸気通路１６に供給されて吸入空気に混合されている。
【００２０】
このエンジン１０Ａにおける排気ガスの浄化に関しては、酸化触媒２５で、排気ガス中の未燃炭化水素と一酸化炭素とが酸化されると共に、一酸化窒素が酸化されて二酸化窒素が生成される。また、捕集装置２６で、担持された触媒によって一酸化窒素が酸化されて二酸化窒素が生成されると共に、排気ガス中の粒子状物質が捕集される。また、この捕集装置２６で、捕集した粒子状物質と二酸化窒素とを反応させることで粒子状物質が酸化除去される。
【００２１】
一方、捕集装置２６に粒子状物質が堆積した場合には、制御装置３０が燃料噴射弁１４を制御して、筒内１３に噴射される燃料の噴射時期を遅角させたポスト噴射を行って、排気通路２３に未燃燃料を供給する。そして、酸化触媒２５で未燃燃料により排気ガスの温度を昇温して、捕集装置２６で強制的に粒子状物質を燃焼除去している。なお、タービン２４の下流で、且つ酸化触媒２５の上流の排気通路２３に未燃燃料を直接噴射する噴射弁を配置して、ポスト噴射の代わりに排気通路２３に直接未燃燃料を供給する構成にしてもよい。
【００２２】
しかし、長時間の低負荷運転で、排気通路２３の温度が低温状態で長時間維持される場合に、あるいは未燃燃料を排気通路２３に供給する際に未燃燃料が均一に噴霧されない場合や排気通路２３の温度が低い場合には、酸化触媒２５の上流側端面３１の上と、その上流側端面３１よりも上流側の排気通路２３に粒子状物質が蓄積してしまう。
【００２３】
この状態について、詳しく説明する。タービン２４よりも下流の排気通路２３は、上流小径管３２、下流側に向って拡径した拡径管３３、内部に酸化触媒２５及び捕集装置２６を上流側から順に配置した大径管３４、下流側に向かって縮径した縮径管３５、及び下流小径管３６により構成されている。大径管３４の内部に配置された酸化触媒２５は、セラミックなどのハニカム構造体に白金やパラジウムなどの貴金属触媒をコートして構成されている。
【００２４】
前述した長時間の低負荷運転時の場合には、酸化触媒２５の上流側端面３１の上に粒子状物質が蓄積する。また、未燃燃料を供給した場合には、上流側端面３１の上に付着した未燃燃料がその後の運転で蒸し焼き状態となり粒子状物質に成長して蓄積する。そして、この上流側端面３１の上に蓄積した粒子状物質により、排気ガス中の粒子状物質が酸化触媒２５を通過せずに、さらに上流側端面３１の上に蓄積すると共に、排気ガスの流速が急激に低下する拡径管３３の内壁に蓄積する。これらの上流側端面３１から離間した箇所や、拡径管３３の内壁には触媒が存在しない。
【００２５】
そこで、本発明のエンジン１０Ａにおいては、上流小径管３２に配設された噴霧手段４０により、一方、本発明のエンジン１０Ｂにおいては、上流小径管３２に仮設された噴霧手段４０により、酸化触媒２５の上流側に配置された上流小径管３２の内部に液体酸化触媒４１を噴射して、酸化触媒２５の上流側端面３１の上及び上流側端面３１よりも上流側に配置された拡径管３３に蓄積した粒子状物質に供給し、供給された液体酸化触媒４１の触媒作用により、蓄積した粒子状物質を酸化除去する構成にした。
【００２６】
噴霧手段４０は、タービン２４の下流で、且つ酸化触媒２５の上流に配置された上流小径管３２の内部に液体酸化触媒４１を噴霧する装置を例示できる。例えば、図１に示す噴霧手段４０は、エンジン１０Ａの上流小径管３２に配設された装置であり、図２に示す噴霧手段４０は、車両の整備を行う整備工場に設置されており、一時的にエンジン４０Ｂの上流小径管３２に仮設される装置である。
【００２７】
図１に示す第一実施形態のエンジン１０Ａは、噴霧手段４０として、上流小径管３２に配設されて、上流小径管３２の内部に直接液体酸化触媒４１を噴霧する噴霧弁４２を用いている。また、液体酸化触媒４１を貯蔵する貯蔵タンク４３と、噴霧弁４２と貯蔵タンク４３とを接続する接続路４４と、接続路４４に介設された移送ポンプ４５とを備えている。噴霧弁４２は、制御装置３０により制御されている。また、移送ポンプ４５は電動ポンプとするとよい。
【００２８】
図２に示す第二実施形態のエンジン１０Ｂの排気通路２３の上流小径管３２には、上流小径管３２の外側に突出したボス部４６が接合されている。このボス部４６には噴霧口４７が形成されている。そして、噴霧手段４０として、この噴霧口４７に挿抜自在に仮設された噴霧ノズル４８を有する噴霧装置４９を用いている。
【００２９】
上記の噴霧弁４２あるいは噴霧ノズル４８から噴霧される液体酸化触媒４１の噴霧パターンは、フラット、フルコーン、ホロコーンなどを例示できる。なお、排気通路２３に未燃燃料を噴射する噴射弁を配置した場合には、噴霧手段４０の噴霧位置は、その噴射弁よりも上流側にすることが好ましい。
【００３０】
液体酸化触媒４１は、液体に酸素含有成分及び、酸化用金属成分を混入した酸化物系触媒を含有させたものである。酸化物触媒としては、酸化鉄や酸化セリウムなどがあり、例えば、希土類金属酸化物の酸化セリウムを液体に含有させた燃料添加触媒（ＦＢＣ）とも呼ばれるものを例示できる。この液体酸化触媒４１は、触媒作用を利用して、粒子状物質を酸化除去することができる。
【００３１】
また、この液体酸化触媒４１は、エンジン１０Ａ及び１０Ｂの通常運転時に到達可能な排気ガスの温度としては比較的低温の燃焼除去温度Ｔ１になると、蓄積した粒子状物質の酸化除去を促進できる。この酸化除去温度Ｔ１は、液体酸化触媒を使用しない場合は４５０度以上だが、液体酸化触媒を使用する場合は３００度以上となる。
【００３２】
図１に示すエンジン１０Ａの動作について説明する。酸化触媒２５の上流側端面３１及び拡径管３３の内壁に粒子状物質が堆積したと判定されたときに、制御装置３０が、噴霧弁４２を制御して、噴霧弁４２から上流小径管３２の内部に液体酸化触媒４１を噴射して、液体酸化触媒４１を酸化触媒２５の上流側端面３１の上及び拡径管３３の内壁に蓄積した粒子状物質に十分に供給する。
【００３３】
そして、エンジン１０Ａの通常運転時に、上流小径管３２を通過する排気ガスの温度が予め定められた酸化除去温度Ｔ１以上になると、蓄積した粒子状物質を液体酸化触媒４１の触媒作用により酸化除去する。
【００３４】
図２に示すエンジン１０Ｂの動作について説明する。酸化触媒２５の上流側端面３１及び拡径管３３の内壁に粒子状物質が堆積したと判定されたときに、制御装置３０が警告装置３７を制御して警告装置３７の点灯又は警報により運転者に粒子状物質が堆積したこと
を警告する。
【００３５】
次いで、運転者が車両を整備工場まで運転して、整備工場で図示しない蓋を開けてボス部４６の噴霧口４７を開口する。次いで、運転者が整備工場に設置してある噴霧装置４９の噴霧ノズル４８を噴霧口４７に挿入して、噴霧装置４９のトリガーを引いて噴霧ノズル４８から上流小径管３２の内部に液体酸化触媒４１を噴射して、液体酸化触媒４１を酸化触媒２５の上流側端面３１の上及び拡径管３３の内壁に蓄積した粒子状物質に十分に供給する。なお、噴霧装置４９から液体酸化触媒４１を噴霧する場合には、エンジン１０Ｂをアイドル運転させておくとよい。
【００３６】
蓄積した粒子状物質に十分に液体酸化触媒４１を供給した後に、運転者が噴霧口４７から噴霧ノズル４８を抜いて、蓋を締めて噴霧口４７を閉口する。そして、エンジン１０Ｂの通常運転時に、上流小径管３２を通過する排気ガスの温度が予め定められた酸化除去温度Ｔ１以上になると、蓄積した粒子状物質を液体酸化触媒４１の触媒作用により酸化除去する。
【００３７】
上記のエンジン１０Ａ及び１０Ｂによれば、上流小径管３２の内部に直接、液体酸化触媒４１を噴霧して、その液体酸化触媒４１を酸化触媒２５の上流側端面３１の上及び上流側端面３１よりも上流側に配置された拡径管３３の内壁に蓄積した粒子状物質に供給し、その液体酸化触媒４１の触媒作用によって蓄積した粒子状物質を酸化除去できる。
【００３８】
これにより、拡径管３３を分解開放して蓄積した粒子状物質を清掃除去する必要がなくなるので、清掃除去の際に粒子状物質を飛散させてしまうことを防止できる。
【００３９】
また、蓄積した粒子状物質による排圧上昇を起因とした燃費の悪化を防止するこができる。更に、液体酸化触媒４１の触媒作用により通常運転時の排気ガスの温度で蓄積した粒子状物質を酸化除去できるので、酸化触媒２５や捕集装置２６の熱による劣化を抑制することができる。
【００４０】
また、噴霧手段４０として、エンジン１０Ａの上流小径管３２に噴霧弁４２を配設した場合には、車両の走行中に酸化触媒２５の上流側端面３１の上及び拡径管３３の内壁に蓄積した粒子状物質を酸化除去して、排気圧力を低下できるので、燃費の向上には有利となる。
【００４１】
一方、噴霧手段４０として、整備工場に設置されている噴霧装置３９の噴霧ノズル３８を、上流小径管３２に仮設した場合には、エンジン１０Ｂに噴霧手段４０を搭載しないことで、エンジン１０Ａと比較してエンジン１０Ｂの重厚長大化を抑制できる。また、上流小径管３２に噴霧口４７を有するボス部４６を設けるだけでよいので、既存のエンジンにも容易に適用できる。
【００４２】
上記のエンジン１０Ａ及び１０Ｂにおいては、噴霧手段４０から液体酸化触媒４１を噴霧する前には、粒子状物質が蓄積しているか否かを判定するとよい。
【００４３】
そのために、上流小径管３２に排気圧力Ｐ１を取得する圧力取得手段として、圧力センサ３８を備え、制御装置３０が圧力センサ３８で取得した排気圧力Ｐ１が予め設定される蓄積圧力Ｐａ以上か否かを判定し、排気圧力Ｐ１が蓄積圧力Ｐａ以上の場合に、粒子状物質が蓄積していると判定する構成が望ましい。
【００４４】
蓄積圧力Ｐａは、粒子状物質の蓄積により排気圧力が上昇して燃費に影響がでることを判定できる値に設定される。この蓄積圧力Ｐａは、筒内１３から排出される排気ガスの流
量Ｑａに基づいて設定される。
【００４５】
酸化触媒２５の上流側端面３１の上及び拡径管３３の内壁に粒子状物質が蓄積すると、タービン２４の下流の排気圧力Ｐ１は上昇する。そこで、上流小径管３２に圧力センサ３８を備えて、その排気圧力Ｐ１の上昇を判定する。
【００４６】
これにより、エンジン１０Ａの場合には、粒子状物質が蓄積したときに、液体酸化触媒４１を随時噴霧できる。また、エンジン１０Ｂの場合には、粒子状物質が蓄積したときに、制御装置３０が警告装置３７で運転者に警告できる。
【００４７】
また、その蓄積圧力Ｐａを制御装置３０が有する蓄積圧力マップＭ１を参照して設定する構成が望ましい。
【００４８】
図３に示すように、蓄積圧力マップＭ１は、筒内１３から排出された排気ガスの流量Ｑａに基づいた蓄積圧力Ｐａが設定されたマップである。この蓄積圧力マップＭ１は、予め実験や試験により作成されて、制御装置３０に記憶されている。
【００４９】
蓄積圧力Ｐａは、筒内１３から排出される排気ガスの流量Ｑａに比例して大きくするとよい。排気ガスの流量Ｑａが大きくなると、圧力センサ３８で取得される排気圧力Ｐ１が上昇する。そこで、制御装置３０が、図３に示す、蓄積圧力マップＭ１を有し、この蓄積圧力マップＭ１を参照して設定された蓄積圧力Ｐａを用いることで、粒子状物質の蓄積状態を精度良く判定できる。
【００５０】
上記の判定を行って、粒子状物質が蓄積したか否かを判定する方法について、図４に示すフローチャートを参照しながら説明する。
【００５１】
まず、制御装置３０が吸入空気量センサ３９の検出値から吸入空気量Ｑ１を取得するステップＳ１０を行う。次いで、制御装置３０が燃料噴射弁１４から噴射された燃料噴射量Ｑ２を取得するステップＳ２０を行う。次いで、制御装置３０が吸入空気量Ｑ１及び燃料噴射量Ｑ２に基づいて排気ガスの流量Ｑａを算出するステップＳ３０を行う。このステップＳ３０では、制御装置３０に予め記憶された吸入空気量及び燃料噴射量に基づいた排気ガスの流量が設定された流量マップを用いて算出する。なお、このステップＳ１０〜ステップＳ３０は、排気ガスの流量Ｑａを算出できればよく、上記に限定されない。例えば、エンジン１０Ａの運転状態及び燃料噴射量に基づいて排気ガスの流量を算出してもよい。
【００５２】
次いで、制御装置３０が蓄積圧力マップＭ１を参照するステップＳ４０を行う。次いで、制御装置３０がステップＳ３０で算出した排気ガスの流量Ｑａに基づいた蓄積圧力Ｐａを設定するステップＳ５０を行う。次いで、制御装置３０が圧力センサ３８の検出値から排気圧力Ｐ１を取得するステップＳ６０を行う。
【００５３】
次いで、制御装置３０がステップＳ６０で取得した排気圧力Ｐ１がステップＳ５０で設定された蓄積圧力Ｐａ以上か否かを判定するステップＳ７０を行う。ステップＳ７０で排気圧力Ｐ１が蓄積圧力Ｐａ未満の場合には、スタートへと戻る。一方、ステップＳ７０で排気圧力Ｐ１が蓄積圧力Ｐａ以上の場合には、制御装置３０が、酸化触媒２５の上流側端面３１の上、及び拡径管３３の内壁に粒子状物質が蓄積していると判定するステップＳ８０を行って、この方法は完了する。
【００５４】
第一実施形態のエンジン１０Ａの場合には、上記の方法が完了して、粒子状物質が蓄積していると判定された場合には、制御装置３０が上流小径管３２に配設された噴霧弁４２を制御して、液体酸化触媒４１の噴霧を開始する。一方、第二実施形態のエンジン１０Ｂ
の場合には、上記の方法が完了して、粒子状物質が蓄積していると判定された場合には、制御装置３０が警告装置３７を制御して、運転者に警告を行う。この警告により運転者が車両を整備工場に運んで、噴霧装置４９を操作して、上流小径管３２に仮設された噴霧ノズル４８から液体酸化触媒４１を噴霧する。
【００５５】
なお、液体酸化触媒４１の噴霧量は、酸化触媒２５の上流側端面３１及び拡径管３３の内壁に蓄積した粒子状物質に十分に供給される量が好ましい。例えば、排気圧力Ｐ１と蓄積圧力Ｐａとの差が大きい場合には、噴霧量を多くするとよい。
【符号の説明】
【００５６】
１０Ａ、１０Ｂ  エンジン
１７  ターボチャージャ
２３  排気通路
２４  タービン
２５  酸化触媒
２６  捕集装置
３１  上流側端面
３２  上流小径管
３３  拡径管
３７  警告装置
３８  圧力センサ
３９  吸入空気量センサ
４０  噴霧手段
４１  液体酸化触媒
４２  噴霧弁
４３  貯蔵タンク
４４  接続路
４５  移送ポンプ
４６  ボス部
４７  噴霧口
４８  噴霧ノズル
４９  噴霧装置
Ｍ１  蓄積圧力マップ
Ｐ１  排気圧力
Ｐａ  蓄積圧力
Ｑａ  流量
Ｔ１  燃焼除去温度
【図１】
2016094845.tif 000003
【図２】
2016094845.tif 000004
【図３】
2016094845.tif 000005
【図４】
2016094845.tif 000006